(57)【要約】      （修正有）【課題】簡易な操作により開蓋した容器本体の開口部に着脱され、装着した状態のままでも容器内から不要な液体の排出を可能とする容器蓋体を提供する。【解決手段】本体部２と環状フランジ部３と係合筒部４と液体排出口部５とから構成され、容器本体２０の開口部２１に着脱される。本体部２と容器本体２０との間に液体溜め空間部８を構成するとともに本体部２の底壁部が内容物２２を押圧する押圧部７を構成して装着状態のままで液体排出口部５から液体溜め空間部８に溜まった液体２３の排出が行われるようにする。【選択図】図４
0003169582.tif 000002
【実用新案登録請求の範囲】
【請求項１】
蓋体を取り外した容器本体の開口部に着脱される合成樹脂材により一体に成形された容器蓋体であり、
外周壁部と底壁部とからなる有底筒状の本体部と、この本体部の外周縁に形成された肉薄の環状フランジ部と、この環状フランジ部の外周縁に上記本体部を囲むようにして形成された係合筒部と、上記環状フランジ部と上記係合筒部とに跨って開口された液体排出口部とから構成され、
上記容器本体に装着した状態において、上記容器本体の内周壁面と上記本体部の外周壁面との間に液体溜め空間部を構成するとともに上記底壁部が上記容器本体に充填された内容物を押圧する押圧部を構成し、上記液体排出口部から上記液体溜め空間部に溜まった液体の排出が行われる容器蓋体。
【請求項２】
蓋体を取り外した容器本体の開口部に着脱される合成樹脂材により一体に成形された容器蓋体であり、
上記容器本体の開口寸法よりも小さな開口寸法とされるとともに所定の高さを有する有底筒状に形成され、上記容器本体に装着した状態において外周壁部がその外周壁面と上記容器の内周壁面との間に全周に亘り液体溜め空間部を構成するとともに、底壁部が上記容器本体に充填された内容物を押圧する押圧部を構成してなる本体部と、
上記本体部の上記外周壁部の外周縁から、上記容器に装着した状態において上記容器本体の開口縁から全周に亘って突出する幅寸法を有しかつ薄肉とされることにより可撓性を付与されて折曲形成された環状フランジ部と、
上記環状フランジ部の外周縁から、上記容器本体に装着した状態において上記容器本体の開口縁の外周壁面と対向する筒状部位として折曲形成されるとともに、先端縁の近傍に位置する内周壁面に上記容器本体の外周壁部に形成した周回りの係合凹部と相対係合する係合凸部を形成した係合筒部と、
上記環状フランジ部と上記係合筒部とに跨って開口され、上記容器本体に装着した状態において上記液体溜め空間部に連通する排出口を有する液体排出口部と
から構成された容器蓋体。
【請求項３】
上記環状フランジ部は、上記容器本体に装着した状態において上記容器本体の開口縁との間に空間部を構成する高さ位置にあり、上記液体排出口部から液体を排出する際に液体溜め空間部を流れる液体の流れを促進する液体排出促進空間部を構成する請求項２に記載の容器蓋体。
【請求項４】
上記係合筒部には、上記液体排出口部の上記排出口の両側開口縁の内周壁面に保持リブが形成され、上記容器本体に装着した状態において上記保持リブが上記容器本体の開口縁に突き当たることにより上記排出口の下側開口縁を上記容器本体の開口縁と対向位置させる請求項２又は請求項３に記載の容器蓋体。
【請求項５】
上記係合筒部には、上記液体排出口部の上記排出口を囲む外周壁面に排出する液体をガイドする半漏斗状の排出ガイド壁部が形成される請求項２〜請求項４のいずれか１項に記載の容器蓋体。
【請求項６】
上記環状フランジ部には、薄肉ヒンジ部を介して起倒されることにより上記液体排出口部の上記排出口を開閉する蓋片部が形成される請求項２〜請求項５のいずれか１項に記載の容器蓋体。
【考案の詳細な説明】
【技術分野】
【０００１】
本考案は、開蓋後の缶詰等の容器本体に装着することにより、異物等の混入を防止して開蓋容器の保存を可能とするとともに、装着した状態のままで容器本体内から不要な液体を排出可能とする容器蓋体に関する。
【背景技術】
【０００２】
缶詰は、一般に缶本体内に内容物とともに油や水或いは調味液等が充填されており、プルトップ型の蓋体により密封された状態で提供される。缶詰は、口金を引き上げて缶本体から蓋体を取り外し、開口部から内容物を取り出して適宜の調理が行われる。缶詰は、余った内容物を適当な量の調味液等とともに小鉢等に移し替え、この小鉢等にラッピングを施して冷蔵庫内で保存される。缶詰は、蓋体とともに缶本体もその時点で廃棄される。
【０００３】
特許文献１には、使用後のビール缶等の飲料缶を麺つゆ等の冷蔵庫用保存容器として再利用することを可能とする缶用密閉蓋が開示されている。缶用密閉蓋は、飲み口側の上面を被覆する合成樹脂製の弾性係合蓋と、缶の上縁に密着可能なシート状の弾性部材と、これら弾性係合蓋と弾性部材とを内部に収納して缶本体に装着されるキャップ状の周枠部材とから構成する。缶用密閉蓋は、開蓋後の飲料缶に装着することにより、良好な密閉状態が保持されるようにする。
【先行技術文献】
【特許文献】
【０００４】
【特許文献１】実用新案登録第２５６１４３４号公報
【考案の概要】
【考案が解決しようとする課題】
【０００５】
ところで、缶詰においては、一般に多量の調味液が封入されており、この調味液をある程度の量を捨てた後に内容物の調理等が行われる。缶詰においては、このために開蓋した後に流し場等で容器本体を傾けて開口縁から調味液を排出するいわゆる水切り処理（油切り処理）が行われるが、その際に容器本体を大きく傾けることにより内容物を流し場に落下させてしまうことがあった。また、缶詰においては、調味料が缶本体の外周壁面を伝わって落下するいわゆる液垂れが生じるために、後処理が面倒であるとともに手を汚してしまうといった問題があった。
【０００６】
缶詰においては、上述した水切り処理を行った後でも、内容物に含浸した多量の調味液が残留している。缶詰においては、このために、例えば缶本体から水切りシート上に内容物と調味液とを拡げて水切りの処理が行われていた。かかる水切り処理は、水切りシートを適宜交換する必要もあり、またゴミの量も増やしてしまう。
【０００７】
また、缶詰においては、上述したように内容物が余った場合にラッピングして冷蔵庫内で保存されるが、その際に適量の調味液が残留していることが好ましい。缶詰においては、上述した水切り処理が調味液の処理量をコントロールすることが困難であるために、例えば調味液が不足していると内容物が乾燥して保存後の味等が落ちてしまうといった問題もあった。
【０００８】
缶詰においては、上述した特許文献１の缶用密閉蓋を用いることにより、開蓋後の保存に際して異物の混入を防止して衛生的な保存が行われ、また転倒等により調味液が容器本体からこぼれ出るといった不都合の発生も防止される。しかしながら、かかる缶用密閉蓋は、もっぱら容器を密閉状態とする使用形態では有効であるが、上述した調味料の処理が必要な缶詰用としての使用にはさほど有効では無い。また、缶用密閉蓋は、比較的高価でもある。
【０００９】
本考案は、簡易な操作により開蓋した缶詰等の容器の容器本体に着脱されて衛生的に保存が行われるようにするとともに、装着した状態のままでも容器本体内から不要な液体の排出を可能とする廉価で使い勝手のよい容器蓋体を提供することを目的とする。
【課題を解決するための手段】
【００１０】
上述した目的を達成する本考案に係る容器蓋体は、缶詰等の容器の容器本体に対して蓋体を取り外して構成された開口部を閉塞するようにして着脱される。容器蓋体は、合成樹脂材により一体に成形され、外周壁部と底壁部とからなる有底筒状の本体部と、この本体部の外周縁に形成された肉薄の環状フランジ部と、この環状フランジ部の外周縁に本体部を囲むようにして形成された係合筒部と、環状フランジ部と係合筒部とに跨って開口された液体排出口部とから構成される。容器蓋体は、容器本体に装着した状態において、容器本体の内周壁面と本体部の外周壁面との間に液体溜め空間部を構成するとともに本体部の底壁部が容器本体内に充填された内容物を押圧する押圧部を構成し、液体排出口部が開口部を閉塞した状態のままで液体溜め空間部に溜まった液体の排出が行われるようにする。
【００１１】
容器蓋体は、容器を開蓋して内容物の一部を取り出して使用した後に冷蔵庫等に保存する場合において、蓋体を取り外して構成された開口部を閉塞して容器本体に着脱されることにより異物等の混入を防止し、内容物を良好な状態に保持し或いは移り香を防止する。また、容器蓋体は、蓋体を取り外した容器本体の開口部を閉塞した装着状態のままで、容器本体内から余剰な調味液等の液体を直接外部へと放出することを可能とする。さらに、容器蓋体は、容器本体に装着することにより押圧部が内容物を押圧するとともに調味液等を液体溜め空間部に溜め、容器本体を傾けることにより液体排出口部から余剰の液体の排出が行われるようにする。さらに、容器蓋体は、装着状態のままで外部から押圧部を押圧することにより、内容物に含浸した液体を液体溜め空間部に押し出して液体排出口部からの排出を可能とする。
【００１２】
また、上述した目的を達成する本考案に係る容器蓋体は、缶詰等の容器の容器本体に対して、蓋体を取り外して構成された開口部を閉塞するようにして着脱されることにより異物等の混入を防止して内容物を良好な状態に保持し或いは移り香を防止する。容器蓋体は、合成樹脂材により一体に成形され、本体部と、環状フランジ部と、係合筒部と、液体排出口部とから構成される。容器蓋体は、本体部が、容器本体の開口寸法よりも小さな開口寸法とされるとともに所定の高さを有する外周壁部と底壁部とからなる有底筒状に形成される。本体部は、容器蓋体を容器本体に装着した状態において、外周壁部がその外周壁面と容器本体の内周壁面との間に全周に亘り液体溜め空間部を構成するとともに、底壁部が容器本体に収納された内容物を押圧する押圧部を構成してなる。容器蓋体は、環状フランジ部が、本体部の外周壁部の外周縁から、容器本体に装着した状態において容器本体の外周縁と対向する幅寸法を有しかつ薄肉とされることにより可撓性を付与されて折曲形成される。容器蓋体は、係合筒部が、環状フランジ部の外周縁から、容器本体に装着した状態において容器本体の開口縁の外周壁面と対向する筒状部位として折曲形成されるとともに、内周壁面に係合凸部を形成して蓋体の外周縁を一体化した部位として容器本体の外周壁部に残された周回りの凸部と相対係合する係合凸部を形成してなる。容器蓋体は、液体排出口部が、排出口を環状フランジ部と係合筒部とに跨って開口し、容器本体に装着した状態において液体溜め空間部に連通する。
【００１３】
容器蓋体は、蓋体を取り外した容器本体に対して、係合筒部を容器本体の外周壁部に沿って押し込むことにより容器本体側の凸部に係合凸部が相対係合し、蓋体が取り外されることにより開口した開口部を閉塞して装着される。容器蓋体は、本体部の底壁部が容器本体の内容物を押圧するとともに、調味液等の液体を本体部の外周壁面と容器本体の内周壁面との間に構成した液体溜め空間部に溜める。容器蓋体は、装着状態のままで容器本体を傾けることにより、液体溜め空間部に溜まった液体を不要な分だけ液体排出口部から外部へと排出されるようにする。さらに、容器蓋体は、容器本体に装着した状態のままで外部から押圧部を押圧することにより、内容物に含浸した調味液等の液体を押し出して液体排出口部から排出することも可能とする。
【００１４】
容器蓋体は、環状フランジ部が、容器本体に装着した状態において容器本体の開口縁との間に、液体溜め空間部の上方部位に空間部を構成する高さ位置にある。容器蓋体は、上述したように液体溜め空間部に溜まった液体を液体排出口部から排出する際に、上記空間部が液体溜め空間部内において液体の流れを促進する液体排出促進空間部を構成することにより液体の排出が効率よく行われるようにする。
【００１５】
容器蓋体は、係合筒部に、容器本体に装着した状態においてその開口縁に突き当たる保持リブが液体排出口部の排出口の両側開口縁の内周壁面に形成される。容器蓋体は、保持リブにより排出口の下側開口縁を容器本体の開口縁と対向位置させることにより、開口縁において液体の堰き止めが生じないようにする。容器蓋体は、これにより液体溜め空間部に溜った液体を液体排出口部から効率よくかつスムーズに排出されるようにする。
【００１６】
容器蓋体は、係合筒部に、液体排出口部の排出口を囲む外周壁面に半漏斗状の排出ガイド壁部が形成される。容器蓋体は、容器本体の内部から液体を排出口を介して排出ガイド壁部から排出することにより、容器本体の外周壁面に沿って液体が流れ落ちる液垂れを低減して安定した排出が行われるようにし、さらに液体を利用等するためにボール等に入れることも可能とする。
【００１７】
容器蓋体は、環状フランジ部に、薄肉ヒンジ部を介して起倒自在とされることにより液体排出口部の排出口を開閉する蓋片部が形成される。容器蓋体は、蓋片部を倒して排出口を閉塞することにより、容器本体が略密閉状態に保持されるようにする。
【考案の効果】
【００１８】
本考案に係る容器蓋体によれば、一般に提供されている缶詰の仕様を変更することなく適用可能であり、簡易な構造で廉価であるとともに、簡易な操作により蓋体を取り外した開口部を閉塞して容器本体に対して着脱されて、異物等の混入を防止して内容物を良好な状態に保持し或いは移り香を防止する等して保存することを可能とする。容器蓋体によれば、容器本体に装着することによって押圧部が内容物を押圧して保持するとともに調味液等を液体溜め空間部に溜め、手や受け皿等を汚すことなく容器本体を傾ける操作によって液体排出口部から余剰の液体を排出することが可能である。さらに、容器蓋体は、容器本体に装着した状態のままで外部から押圧部を押圧することにより、内容物に含浸した液体を液体溜め空間部に押し出して液体排出口部から排出することも可能である。容器蓋体は、使い勝手もよく、多目的に利用することも可能である。
【図面の簡単な説明】
【００１９】
【図１】本考案に係る容器蓋体の正面図である。
【図２】同容器蓋体の断面図である。
【図３】同容器蓋体を容器本体（缶詰）に装着した使用状態の斜視図である。
【図４】同容器蓋体を容器本体（缶詰）に装着した使用状態の断面図である。
【図５】調味液を排出する操作の説明図である。
【考案を実施するための形態】
【００２０】
以下、本考案の実施の形態として示す容器蓋体１について詳細に説明する。容器蓋体１は、図３及び図４に示すように蓋体を取り外した缶詰（容器）の缶本体（容器本体）２０に対して、開放された開口部２１を閉塞するようにして着脱されて用いられる。缶詰は、アルミニウムやスチール製の比較的浅い広口の有底筒状体の缶本体２０の天井部をいわゆるプルトップ型の蓋体で密閉してなる。缶詰は、缶本体２０が、外径寸法がＬ１、高さ寸法がＨ１に形成される。なお、缶詰は、プルトップ型蓋体ばかりでなく、缶切り等により天井部を取り除くものであってもよい。
【００２１】
缶詰は、図４に示すように缶本体２０内に例えばカツオやマグロ或いは適宜の素材を水煮、油煮或いは味付けした内容物２２を多量の水、油或いは調味液等の液体２３とともに充填し、図示しない蓋体で密封してなる。缶本体２０は、開口縁部位にプルトップ構造を有する蓋体の外周縁部を全周に亘ってカシメ等により一体化する。缶本体２０は、蓋体を取り外した状態において、外周壁部に詳細を省略する蓋体や底板をそれぞれ一体化したカシメ部位が残り、開口縁に沿って周回りの凸部２４が構成される。なお、凸部２４については、図４に底板側のカシメ部位が示されている。
【００２２】
缶詰は、調理時等に際して口金を引き上げて天井部を構成する蓋体を取り外すことにより天井部の全体を開口させ、この開口部２１から内容物２２の取り出しが行われる。缶詰は、調理時等に際して余分な液体２３を捨てる水切りが行われる。缶詰は、内容物２２が余った場合或いは液体２３の水切りを行う場合等において、後述するように開口部２１を閉塞して缶本体２０に容器蓋体１が装着される。
【００２３】
缶詰は、缶本体２０に容器蓋体１を装着することにより、冷蔵庫等で保存する際に異物等の混入や移り香が防止され、また乾燥を抑制して内容物２２が良好な状態に保持して保存される。また、缶詰は、容器蓋体１を用いることにより、後述するように容器蓋体１を装着した状態のままで缶本体２０内から余剰の液体２３を排出する水切りも行われる。
【００２４】
容器蓋体１は、例えばポリエチレンやポリプロピレン等の合成樹脂材を素材として一体に形成される。容器蓋体１は、図１及び図２に示すように本体部２と、環状フランジ部３と、係合筒部４と、液体排出口部５とから構成される有底円筒形状に形成される。なお、容器蓋体１は、有底円筒形状に限定されず、例えば角形の缶詰に用いる場合には有底角筒形状に形成される。
【００２５】
本体部２は、円筒形状の外周壁部６と、この外周壁部６の底壁部を構成する押圧部７とから構成される。本体部２は、外周壁部６がその内径寸法Ｌ２を缶本体２０の外径寸法Ｌ１よりも小さくかつその高さ寸法Ｈ２を缶本体２０の高さ寸法Ｈ１よりも小さくして形成される。本体部２は、容器蓋体１を缶本体２０に装着した状態において、外周壁部６の外周壁面と缶本体２０の内周壁面との間に環状の液体溜め空間部８を構成する、上記内径寸法Ｌ２に形成される。液体溜め空間部８は、後述するように缶本体２０内に充填された液体２３を溜める。
【００２６】
本体部２は、容器蓋体１を缶本体２０に装着した状態において、押圧部７が充填された内容物２２の高さ位置よりもやや下方に位置する上記高さ寸法Ｈ２に形成される。本体部２は、高さ寸法Ｈ２に形成されることにより、外周壁部６と押圧部７によって缶本体２０内に充填された内容物２２を保持するとともに液体２３を液体溜め空間部８に押し出して溜めるようにする。本体部２は、容器蓋体１を缶本体２０に装着した状態において、図４に示すように押圧部７が缶本体２０内に充填された内容物２２を押圧する。押圧部７は、内容物２２を缶本体２０の底壁上に押し付けて保持するとともに、内容物２２に含浸した液体２３を液体溜め空間部８に押し出すようにする。
【００２７】
容器蓋体１は、環状フランジ部３が、本体部２の外周壁部６の開口縁に沿って、全周に亘って側方へと突出するようにして一体に形成される。環状フランジ部３は、後述するように容器蓋体１を缶本体２０に装着した状態で外周縁が缶本体２０の開口縁に沿って全周に亘って延在する幅寸法Ｗを有して本体部２と一体に形成される。環状フランジ部３は、本体部２と比較してやや薄肉部位として形成されることにより、素材の特性によって可撓性を有している。
【００２８】
容器蓋体１は、係合筒部４が、環状フランジ部３の外周縁に沿って、本体部２と対向する筒状部位として一体に折曲形成される。係合筒部４は、後述するように容器蓋体１を缶本体２０に装着した状態において、開口縁の外周壁面と対向するとともに、缶本体２０の蓋体を取り外した側の外周壁部にその開口縁に沿って構成された周回りの凸部２４よりもやや下方に位置する高さ寸法Ｈ３を以って形成される。
【００２９】
係合筒部４には、先端部の内周壁面に断面が半円形の係合凸部９が形成される。係合凸部９は、係合筒部４の内周壁面に所定の間隔を以って突出形成される。係合凸部９は、容器蓋体１を缶本体２０に装着した状態において、缶本体２０の外周壁面に形成した上述した凸部２４と相対係合することにより、容器蓋体１の装着状態が保持されるようにする。なお、係合凸部９は、係合筒部４の内周壁面に全周に亘って突出形成した環状凸部であってもよい。
【００３０】
係合筒部４は、容器蓋体１を缶本体２０に装着して係合凸部９が凸部２４と相対係合した状態において、環状フランジ部３の内面を缶本体２０の開口縁よりもやや上方に位置させるようにして上述した高さ寸法Ｈ３に設定されている。係合筒部４は、容器蓋体１を缶本体２０に装着した状態において、図４に示すように開口縁の上方、すなわち上述した液体溜め空間部８の上方全域に亘って環状の液体排出促進空間部１５が構成されるようにする。液体排出促進空間部１５は、後述するように液体２３を排出する際に、缶本体２０内で空気流が生成されるようにして液体２３が効率的に排出されるようにする。
【００３１】
容器蓋体１は、液体排出口部５が、図２に示すように排出口１０と、保持リブ１１と、排出ガイド壁部１２と、蓋片部１３から構成される。液体排出口部５は、排出口１０を上述した液体溜め空間部８に連通して環状フランジ部３と係合筒部４とに跨って開口する。液体排出口部５は、保持リブ１１を、係合筒部４の排出口１０を挟む両側開口縁の内周壁面に沿って高さ方向の凸部として形成する。保持リブ１１は、容器蓋体１を缶本体２０に装着した状態において、図４に示すように缶本体２０の開口縁に突き当たることにより、排出口１０の下側開口縁を缶本体２０の開口縁と対向位置させる。
【００３２】
液体排出口部５は、排出ガイド壁部１２を、排出口１０を囲んで係合筒部４の外周壁面に一体に突出形成する。排出ガイド壁部１２は、図１及び図２に示すように上方部位を広口として下方に向かって次第に内側に向かって傾斜する半漏斗状に形成される。排出ガイド壁部１２は、全体が丸みを付されて形成されることにより、使用者の指先等を傷付けることが無いように安全性が図られている。
【００３３】
液体排出口部５は、蓋片部１３を、排出口１０に対向位置して環状フランジ部３に一体に形成する。蓋片部１３は、図１に示すように環状フランジ部３の排出口１０を形成する部位を半円形に切り抜いた蓋片により構成される。蓋片部１３は、半円形の直径部位が薄肉部位によって環状フランジ部３に連設され連結され、薄肉部位が薄肉ヒンジ部１４を構成して起倒自在とされる。
【００３４】
蓋片部１３は、後述するように缶本体２０内から余剰の液体２３を排出する場合に、図２に示すように薄肉ヒンジ部１４を介して引き上げられることにより排出口１０を開放する。蓋片部１３は、冷蔵庫等に保存する場合に、図３に示すように、薄肉ヒンジ部１４を介して環状フランジ部３と同一面を構成するように倒されることにより、排出口１０を閉塞して缶本体２０を略密閉状態に保持する。
【００３５】
以上のように構成された容器蓋体１は、上述したように蓋体を取り外して天井部を開口した容器の缶本体２０に装着される。容器蓋体１は、係合筒部４を缶本体２０の外周壁部に嵌合し、係合筒部４に形成した係合凸部９が缶本体２０側の凸部２４を乗り越えて相対係合するまで押し込まれて装着される。容器蓋体１は、係合凸部９と凸部２４との係合により缶本体２０から脱落することは無い。また、容器蓋体１は、強く引き上げることにより係合凸部９と凸部２４の係合状態が解除されて缶本体２０から取り外しが行われる。
【００３６】
容器蓋体１は、缶本体２０に装着した状態で、図４に示すように本体部２の外周壁面と容器本体２０の内周壁面との間に液体溜め空間部８を構成する。容器蓋体１は、本体部２の外周壁面と環状フランジ部３の内面と係合筒部４の内周壁面とにより液体溜め空間部８の上方全域に亘って上述した液体排出促進空間部１５を構成する。容器蓋体１は、保持リブ１１が缶本体２０の開口縁に突き当たり、排出口１０の下側開口縁を缶本体２０の開口縁と対向位置させる。
【００３７】
容器蓋体１は、本体部２が缶本体２０内の液体２３を液体溜め空間部８へと押し出して溜めるようにするとともに、押圧部７が内容物２２を押圧して缶本体２０の底壁上に押し付けて保持する。容器蓋体１は、装着した状態のままで液体排出口部５を下側に位置させて缶本体２０を傾けることにより、余剰の液体２３を缶本体２０から排出する水切りを行うことが可能である。
【００３８】
容器蓋体１は、薄肉ヒンジ部１４を介して蓋片部１３を引き上げて閉塞されていた排出口１０を開放する。容器蓋体１は、缶本体２０を傾けることにより液体２３が液体排出口部５に向かって液体溜め空間部８内を流れ、排出口１０から外部へと排出する。容器蓋体１は、本体部２の押圧部７により内容物２２を押圧保持することから、缶本体２０を傾けても内部で内容物２２が移動して崩れるといった不都合を生じさせることは無い。
【００３９】
容器蓋体１は、上述したように液体溜め空間部８の上方に全域に亘って液体排出促進空間部１５を設けたことにより液体溜め空間部８内における液体２３の流れが充分に確保されて効率的な排出が行われるようにする。容器蓋体１は、保持リブ１１によって排出口１０の下側開口縁が缶本体２０の開口縁と対向する位置に保持されることから、液体２３が下側開口縁において堰き止められることなくスムーズに排出されるようにする。容器蓋体１は、液体２３の排出量を調整することが可能である。容器蓋体１は、缶本体２０の傾け角度を調整することにより、内容物２２と液体２３の割合を調整することが可能である。
【００４０】
容器蓋体１は、調理の内容等によっては内容物２２から自然に分離した液体２３を水切りするばかりでなく、液体２３をさらに減らすことも可能である。容器蓋体１は、図５に示すように上述した水切り処理を施す際に、使用者によって押圧部７の押圧操作が行われる。容器蓋体１は、上述したように環状フランジ部３が可撓性を付与されることにより外部から押圧部７を押圧することが可能であり、内容物２２に含浸した液体２３をさらに液体溜め空間部８内に押し出する。容器蓋体１は、押圧部７の押圧操作を適宜調整することにより、液体２３の内容物２２における含浸量を調整することも可能である。
【００４１】
容器蓋体１においては、上述したように缶本体２０に押し込む簡易な操作によって缶本体２０に装着し、缶本体２０の内部を略密封空間部として構成することが可能である。容器蓋体１においては、異物等の混入を防止して内容物２２を良好な状態に保持し或いは移り香を防止する等して冷蔵庫等に保存することを可能とし、また誤って転倒等させてしまった場合でも液体２３のこぼれ出しも抑制する。
【００４２】
容器蓋体１においては、装着した状態のままで缶本体２０を傾けることにより、入れ替え用の容器や水切りペーパ等を不要として缶本体２０内から余剰の液体２３を排出して水切りが行われるようにする。さらに、容器蓋体１においては、缶本体２０を傾けた状態で押圧部７を押圧することにより、内容物２２に含浸した液体２３を適宜押し出す水切りを行うことも可能である。容器蓋体１は、構造が簡易で廉価であり、例えば複数個を１パックとして販売される缶詰パックにサービス品として同封して提供することも可能である。容器蓋体１は、使い勝手もよく、多目的に利用することが可能である。
【符号の説明】
【００４３】
１  容器蓋体、２  本体部、３  環状フランジ部、４  係合筒部、５  液体排出部、６  外周壁部、７  押圧部、８  液体溜め空間部、９  係合凸部、１０  排出口、１１  保持リブ、１２  排出ガイド壁部、１３  蓋片部、１４  薄肉ヒンジ部、１５  液体排出促進空間部、２０  缶本体（容器本体）、２１  開口部、２２  内容物、２３  液体、２４  凸部
【図１】
0003169582.tif 000003
【図２】
0003169582.tif 000004
【図３】
0003169582.tif 000005
【図４】
0003169582.tif 000006
【図５】
0003169582.tif 000007